(57)【特許請求の範囲】
【請求項１】
規則的に配列された多数の正六角形のセルによって構成される芯材と、前記芯材の周囲に取り付けられた周壁材と、前記芯材の上面を被覆する上面板と、前記芯材の下面を被覆する下面板とを有する複数枚のパネルを備え、
前記芯材の空隙に、平面視で複数個の三角形領域に区分けされるように補強材が取り付けられており、
前記芯材と前記上面板および前記下面板との接触箇所が互いに堅固に固定されており、
前記パネルが、上に位置するパネルのセルの内接円の中心が、下に位置するパネルのセルに対して内接円の半径だけずれるように位置決めした状態で互いに固定されていることを特徴とする複合パネル構造体。
【請求項２】
前記パネルが、板紙、木質ボード、又は金属板で形成されていることを特徴とする請求項１に記載された複合パネル構造体。
【請求項３】
一方の外面に表層仕上げ板が取り付けられていることを特徴とする請求項１から請求項１又は２に記載された複合パネル構造体。
【発明の詳細な説明】
【技術分野】
【０００１】
本発明は一般に、建築資材などとして利用される複合パネル構造体に関する。より詳細には、本発明は、良好な断熱性および耐久性を有する複合パネル構造体に関する。
【背景技術】
【０００２】
従来、木造建築物では、４５０ｃｍ程度の間隔で根太を配置し、その上に床材が断熱材と組み合わせて配置されている。また、壁は通常、間柱と胴縁を配置し、その間に断熱材を充填し、表層に石膏ボードが配置されている。また、天井は通常、４５０ｃｍ程度の間隔で下地組材を配置し、その上に断熱材を配置し、表層に仕上げ材として石膏ボードが配置されている。
【０００３】
一方、コンクリート造建築物では、結露対策として、結露防止塗料を塗布した壁材や床材が用いられている。
【発明の概要】
【発明が解決しようとする課題】
【０００４】
しかしながら、従来の断熱材を使用する建設資材では、断熱材の分だけコスト高になるという課題があった。また、結露防止塗料を塗布した建設資材では、十分な結露防止効果が得られないという課題もあった。本発明は、このような状況において開発されたものであって、良好な断熱性および耐久性を有する板状資材を提供することを目的としている。
【課題を解決するための手段】
【０００５】
本願請求項１に記載の複合パネル構造体は、規則的に配列された多数の正六角形のセルによって構成される芯材と、前記芯材の周囲に取り付けられた周壁材と、前記芯材の上面を被覆する上面板と、前記芯材の下面を被覆する下面板とを有する複数枚のパネルを備え、前記芯材の空隙に、平面視で複数個の三角形領域に区分けされるように補強材が取り付けられており、前記芯材と前記上面板および前記下面板との接触箇所が互いに堅固に固定されており、前記パネルが、上に位置するパネルのセルの内接円の中心が、下に位置するパネルのセルに対して内接円の半径だけずれるように位置決めした状態で互いに固定されていることを特徴とするものである。
【０００７】
本願請求項２に記載の複合パネル構造体は、前記請求項１の構造体において、前記パネルが、板紙、木質ボード、又は金属板で形成されていることを特徴とするものである。
【０００８】
本願請求項３に記載の複合パネル構造体は、前記請求項１又は２の構造体において、一方の外面に表層仕上げ板が取り付けられていることを特徴とするものである。
【発明の効果】
【０００９】
本発明の複合パネル構造体は、面内力と面外力の両方に対して強固に抵抗するため、良好な耐久性を有する。また、複合パネル構造体を構成するパネルには、多数の空隙が設けられているので、良好な断熱性が得られる。また、パネルがセルと空隙から成り立っているので、耐久性に比較して軽量であり、輸送性に優れている。さらに、パネルの空隙が一種の保温領域となるため、結露防止の効果も期待できる。
【００１０】
本発明の複合パネル構造体は、木造建築物やコンクリート造建築物用の建設資材（例えば、床材、壁材、天井材）の他、パーティション、ドア、家具、或いは医療機器やロボット、免震装置等の構成材などの広範な用途に使用することができる。
【図面の簡単な説明】
【００１１】
【図１】複合パネル構造体を構成するパネルの部分切り取り斜視図である。
【図２】図１のパネルの分解斜視図である。
【図３】図３（ａ）は、上面板を取り外したパネルの平面図、図３（ｂ）は、図３（ａ）の部分３ｂの拡大図、図３（ｃ）は、上面板を取り外した別の形態のパネルの平面図、図３（ｄ）は、図３（ｃ）の部分３ｄの拡大図である。
【図４】複合パネル構造体の分解斜視図である。
【図５】図４に示した複合パネル構造体の斜視図である。
【図６】パネルのセルが重ねられている状態を示した図である。
【図７】パネルの重ね方を説明するための図である。
【図８】複合パネル構造体の使用例を示した図である。
【発明を実施するための形態】
【００１２】
次に、図面を参照して、本発明の好ましい実施の形態に係る複合パネル構造体について詳細に説明する。図１は、複合パネル構造体を構成するパネルの部分切り取り斜視図、図２は、図１のパネルの分解斜視図である。図１において全体として参照符号１０で示されるパネルは、芯材１０ａと、芯材１０ａの周囲に取り付けられた周壁材１０ｂと、芯材１０ａの上面を被覆する上面板１０ｃと、芯材１０ａの下面を被覆する下面板１０ｄとを有している。なお、図１では、芯材１０ａの構造を明瞭にするため、上面板１０ｃの一部が切り取られた状態で示されている。
【００１３】
図３（ａ）は、上面板１０ｃを取り外したパネル１０の平面図である。芯材１０ａは、図３（ａ）に最も良く示されるように、規則的に配列された多数の正六角形のセル１０ａ１によって構成されており、セル１０ａ１以外の部分が空隙１０ａ２となっている（図３（ｂ）は、図３（ａ）の部分３ｂの拡大図である）。
【００１４】
図３（ｃ）は、上面板１０ｃを取り外した別の形態のパネル１０′の平面図である。図３（ｃ）に示されるパネル１０′は、芯材１０ａの空隙１０ａ２に補強材１０ａ３が設けられている点を除いて、図３（ａ）に示されるパネル１０と実質的に同一の構成を有している。
【００１５】
パネル１０を形成する芯材１０ａ、周壁材１０ｂ、上面板１０ｃおよび下面板１０ｄは、再生紙を含む板紙、木質チップ材などの木質ボード、又は鋼板などの金属板で形成されている。
【００１６】
芯材１０ａと上面板１０ｃおよび下面板１０ｄとの接触箇所（具体的には、セル１０ａ１と上面板１０ｃおよび下面板１０ｄとの接触箇所）は、適当な固定手段（板紙や木質ボードの場合は接着剤、金属板の場合は溶接）によって、互いに堅固に固定されている。これにより、パネル１０、１０′は、内部に空隙１０ａ２を保有しつつ、面内方向の外力（面内力）に対して強固に抵抗することができる。
【００１７】
図４および図５は、３枚のパネル１０を重ねた複合パネル構造体１４を示している。すなわち、複合パネル構造体１４は、３枚のパネル１０を重ねて互いに堅固に固定されている。固定は、板紙や木質ボードの場合は接着剤、金属板の場合は溶接によって行われる。好ましくは、重ねられたパネル１０の一方の外面に表層仕上げ板１２が取り付けられている。所望により、表層仕上げ板１２に水溶性防炎剤が塗布され、或いは水溶性防炎剤が含浸されている。
【００１８】
図７は、パネル１０の重ね方を示した模式図である。図７において、実線は、上に位置するパネル１０のセル１０ａ１を示しており、破線は下に位置するパネル１０のセル１０ａ１を示している。また、Ｃ１、Ｃ２はセル１０ａ１の内接円（半径ｒ）、Ａ１、Ａ２は内接円Ｃ１、Ｃ２の中心を示している。セル１０ａ１を重ねるに際しては、上に位置するパネル１０のセル１０ａ１の内接円Ｃ１の中心Ａ１が、下に位置するパネル１０のセル１０ａ１に対して半径ｒだけずれるように位置決めされる。このようにセル１０ａ１を重ねることにより、複合パネル構造体１４は面外方向の外力（面外力）に対して強固に抵抗することができる。
【００１９】
なお、図４および図５に示される複合パネル構造体１４は、３枚のパネル１０から構成されているが、複合パネル構造体１４を構成するパネルは、２枚でもよく４枚以上でもよい。
【００２０】
図８は、複合パネル構造体１０の使用例を示した図である。複合パネル構造体１０は、建築物の床材、壁材、天井材のいずれにも使用することができる。また、複合パネル構造体１０は、コンクリート造建築物にも木造建築物にも使用することができる。
【００２１】
本発明は、以上の発明の実施の形態に限定されることなく、特許請求の範囲に記載された発明の範囲内で、種々の変更が可能であり、それらも本発明の範囲内に包含されるものであることはいうまでもない。
【００２２】
例えば、図示されているパネルの寸法や形状などは例示的なものであり、これらに限定されるものではない。
【符号の説明】
【００２３】
１０、１０′  パネル
１０ａ  芯材
１０ａ１  セル
１０ａ２  空隙
１０ａ３  補強材
１０ｂ  周壁材
１０ｃ  上面板
１０ｄ  下面板
１２  表層仕上げ板
１４  複合パネル構造体
【図１】
0006436671.tif 000002
【図２】
0006436671.tif 000003
【図３】
0006436671.tif 000004
【図４】
0006436671.tif 000005
【図５】
0006436671.tif 000006
【図６】
0006436671.tif 000007
【図７】
0006436671.tif 000008
【図８】
0006436671.tif 000009